(57)【要約】【課題】本発明の課題は屋上等の緑化効果を向上せしめることにある。【解決手段】下トレイ１に水または養液Ｗを充填し、上トレイ５には草木類Ｇと木本類Ｔとを植栽して葉の縮合面積を増大せしめ、吸水体１５，２５によって下トレイ１の水または養液Ｗを上トレイ５に吸い上げる。【選択図】  図２
2008148560.tif 000002
【特許請求の範囲】
【請求項１】
下トレイと、該下トレイの上側からスペーサーを介して嵌着される上トレイとからなり、
該上トレイの中央部には木本類植栽用容器を嵌着する嵌着孔が設けられ、
該嵌着孔の周囲には吸水体を臨出せしめる複数個の臨出孔が設けられ、
該上トレイの嵌着孔には木本類植栽用容器を嵌着し、該容器には木本類を植栽し、
該容器の周囲には草本類植栽用の培地を敷設し、該培地に草本類を植栽し、
該下トレイには該上トレイの臨出孔に臨出し、該培地に接触する複数個の吸水体を設置し、
該木本類植栽用容器の底部からは該下トレイ内に吸水体を垂下するかまたは該底部に導水孔を開設し、該下トレイには水または養液を充填し、
該水または養液を該吸水体によって吸い上げて該上トレイの木本類植栽用容器と草本類植栽用培地に供給するか、あるいは該容器には該導水孔から該水または養液を導入することによって供給することを特徴とする緑化用植栽ユニット。
【請求項２】
該下トレイの周縁には、該緑化用植栽ユニットの複数個を縦および／または横に配列した場合に隣接する緑化用植栽ユニットの下トレイとの間で水または養液を連通せしめる連通手段が設けられている請求項１に記載の緑化用植栽ユニット。
【請求項３】
該上トレイの嵌着孔上には該木本類植栽用容器を嵌着する嵌着筒が取付けられている請求項１または請求項２に記載の緑化用植栽ユニット。
【請求項４】
該上トレイの木本類植栽用容器と該容器に植栽される木本類との間には、該木本類の支持手段が差設されている請求項１〜請求項３のいづれか１項に記載の緑化用植栽ユニット。
【発明の詳細な説明】
【技術分野】
【０００１】
本発明は例えば屋上緑化に使用される緑化用植栽ユニットに関するものである。
【背景技術】
【０００２】
従来、例えば屋上緑化用として、トレイに培地を敷設し、該培地に草本類を植栽したユニットが提供されている。
【０００３】
【特許文献１】特開２００３−６１４５７号公報
【特許文献２】特開２００６−２０４２９１号公報
【特許文献３】特開２００６−２９６２１１号公報
【発明の開示】
【発明が解決しようとする課題】
【０００４】
屋上緑化の目的は、主として建物の冷却効果あるいは保温効果を向上せしめ、建物内の空調に要するエネルギーの節約を図ることにある。しかし草木類は葉が小型で葉面からの充分な水分蒸散が期待出来ず、冷却効果あるいは保温効果を充分向上させることが困難である。
【課題を解決するための手段】
【０００５】
本発明は上記従来の課題を解決するための手段として、下トレイ１と、該下トレイ１の上側からスペーサー２を介して嵌着される上トレイ５とからなり、
該上トレイ５の中央部には木本類植栽用容器１３を嵌着する嵌着孔６が設けられ、
該嵌着孔６の周囲には吸水体１０を臨出せしめる複数個の臨出孔７が設けられ、
該上トレイ５の嵌着孔６には木本類植栽用容器１３を嵌着し、該容器１３には木本類Ｔを植栽し、
該容器１３の周囲には草本類Ｇ植栽用の培地１１を敷設し、該培地１１に草本類Ｇを植栽し、
該下トレイ１には該上トレイ５の臨出孔７に臨出し、該培地１１に接触する複数個の吸水体２５を設置し、
該木本類植栽用容器１３の底部からは該下トレイ１内に吸水体１５を垂下するかまたは該底部に導水孔を開設し、該下トレイ１には水または養液Ｗを充填し、
該水または養液Ｗを該吸水体１５，２５によって吸い上げて該上トレイ５の木本類植栽用容器１３と草本類植栽用培地１１に供給するか、あるいは該容器には該導水孔から該水または養液を導入することによって供給する緑化用植栽ユニットＰＵを提供するものである。
通常該下トレイ１の周縁には、該緑化用植栽ユニットＰＵの複数個を縦および／または横に配列した場合に隣接する緑化用植栽ユニットＰＵの下トレイ１との間で水または養液Ｗを連通せしめる連通手段４が設けられている。そして該上トレイ５の嵌着孔６上には該木本類植栽用容器１３を嵌着する嵌着筒８が取付けられていることが望ましく、該上トレイ５の木本類植栽用容器１３と該容器１３に植栽される木本類Ｔとの間には、該木本類Ｔの支持手段１６が差設されていることが望ましい。
【発明の効果】
【０００６】
〔作用〕
該緑化用植栽ユニットＰＵにあっては、該上トレイ５の嵌着孔６に嵌着した容器１３に葉が大型な木本類Ｔを植栽し、その周りの培地１１に草本類Ｇを植栽するから、葉の総合面積が増加し、充分な水分蒸散が行われる。
上記木本類Ｔや草本類Ｇには下トレイ１に充填されている水あるいは養液Ｗは、吸水体１５，２５によって該木本類植栽用容器１３や培地１１に供給される（請求項１）。
【０００７】
屋上緑化等の場合には、上記植栽ユニットＰＵを縦横に配列する。この場合には該植栽ユニットＰＵの下トレイ１に充填されている水や養液Ｗは、該下トレイ１の周縁に設けられている連通手段４によって隣接する植栽ユニットＰＵに流通する（請求項２）。
【０００８】
該上トレイ５の嵌着孔６上に嵌着筒８を取付け、該嵌着筒８内に該木本類植栽用容器１３を嵌着すると、該容器１３が嵌着筒８によって安定に支持される（請求項３）。
【０００９】
木本類Ｔは草本類Ｇに比べて重心が高いため、風等で倒れやすいので、該容器１３との間に支持手段１６を差設して倒れるのを防止する。そして該木本類Ｔに及ぼされる風等による外力は、該支持手段１６を伝って該容器１３、更に上トレイ５から下トレイ１へと分散される（請求項４）。
【００１０】
〔効果〕
したがって本発明においては、冷却効果や保温効果の高い緑化が可能になり、建物空調に要するエネルギーが大巾に節減される。
【発明を実施するための最良の形態】
【００１１】
本発明の一実施例を図1〜図5に示す。図1に示す下トレイ１は平面形状正方形であって中央部には環状のスペーサー２が設置されており、四周壁３，３，３，３にはそれぞれ連通手段としての通水切欠き部４，４，４，４が形成されている。
上記下トレイ１の内側に上側から嵌着される上トレイ５は該下トレイ１の平面形状に対応して平面形状正方形であり、該下トレイ１よりも一周り小さなサイズに設定されており、中央部には木本類植栽用容器１３を嵌着する嵌着孔６が設けられ、該嵌着孔６の周囲（トレイ四隅）には吸水体２５を臨出せしめる複数個（４個）の臨出孔７，７，７，７が設けられており、該嵌着孔６上には該木本類植栽用容器１３を嵌着する嵌着筒８が取付けられている。即ち図３に示すように該嵌着筒８の下周縁には複数個の切欠き８Ａが形成され、更に係止片９の複数個が差出されており、更に上周縁には係止突起９Ａの複数個が差出されている。そして該上トレイ５の嵌着孔６の周縁には係止溝１０Ａを形成した係止具１０の複数個が設けられており、該嵌着筒８を該上トレイ５の底面に載せ若干回転して該嵌着筒８の係止片９を該上トレイ５の嵌着孔６周縁の係止具１０の係止溝１０Ａにそれぞれ係止せしめることによって、該嵌着筒８は該上トレイ５の嵌着孔６上に着脱可能に取付けられる。
【００１２】
該下トレイ１の底面には円柱状の吸水体２５が複数個（４個）載置される。該吸水体２５は例えば多孔質セラミック、樹脂発泡体、あるいは該多孔質セラミックや樹脂発泡体をセメント、発泡性接着剤等で結着した結着体、セラミック粒子や樹脂粒子の焼結体等、またはポリエステル系の樹脂よりなる吸水シート等の吸水材料からなる。該吸水体２５載置位置は該上トレイ５の臨出孔７，７，７，７に対応する位置とする。
【００１３】
該上トレイ５の底面上には芝、セダム類、野草等の草本類Ｇを植栽した培地１１が載置される。該培地１１としてはヤシ繊維、麻繊維、パルプ、綿繊維等の植物繊維を材料としたマット、吸水性ゴム発泡体シート、セラミック発泡体シート等の吸水性のシートが使用され、中央部該上トレイ５の嵌着孔６に対応する位置に開孔１２が設けられている。
【００１４】
該上トレイ５の嵌着筒８の内側には木本類Ｔを植栽した木本類植栽用容器１３が嵌着される。該木本類Ｔとしては、例えばアベリア、ツツジ、サツキ、クチナシ、コトネアスター、シャリンバイ、ジンチョウゲ、ナギイカダ、斑入りナワシログミ、ナンテン（オタフク・ササバ）、ヒイラギナンテン（冬咲き・ナリヒラ）、ヒサカキ、トキワマンサク、アカバナトキワマンサク、アセビ、レッドロビン、ツバキ、サザンカ、カクレミノ、ヤブコウジ、アメリカイワナンテン、ヒベリカム（ヒデコート・カリシナム）、ヒカゲツツジ、ゴモジュ、ニワデマリ、ハマヒサカキ、カンツバキ、カラタネオガタマ、ヒイラギモチ、サルココッカ、ミヤマシキミ、トキワレンゲ、マンリョウ、コニファー類、ヒメイチゴノキ、四川トキワガキ、ローズマリー等の常緑樹、アジサイ、ウツギ、オウバイ、コデマリ、シロヤマブキ、シモツケ、ニシキギ、バイカウツギ、ハギ、ボケ、レンゲツツジ、ミツバツツジ、コムラサキ、ムラサキシキブ、メギ、ユキヤナギ、レンギョウ、ニワフジ、ハクチョウゲ、ツクバネウツギ、コバノズイナ、トサミズキ、ヒュウガミズキ、ニワウメ、ハナズオウ、アブラチャン、ダンコウバイ、マンサク、ガクウツギ、ショウキウツギ、ブルーベリー、ムクゲ、アメリカザイフリボク、ホザキナナカマド等の落葉樹、アケビ、ムベ、イタビカズラ、カロライナジャスミン、スイカズラ、セイヨウキヅタ、ツルバラ、ツリガネカズラ、ツキヌキニンドウ、ツルアジサイ、ツルウメモドキ、アメリカツルマサキ、テイカカズラ、ナツヅタ、フユヅタ、ノウゼンカズラ、ハゴロモジャスミン、ビナンカズラ、フジ、常緑性クレマチス、クレマチス、ウンナンオウバイ、サッコウフジ、ナツユキカズラ、ハツユキカズラ、ウキツリボク、ツルハナナス、トラノツメ、イワガラミ、ツルニチニチソウ等の木性つる植物等がある。そして該木本類Ｔと該容器１３との間には支持手段としてベルト１６が差設され、該木本類Ｔが倒れないよう支持される。該ベルト１６は４本の板部１７，１７，１７，１７を有し、中央には該木本類Ｔを通す通し孔１８が設けられ、各板部１７の末端には係止孔１９が設けられており、該ベルト１６の通し孔１８に木本類Ｔの幹を通し、係止孔１９を該嵌着筒８の係止突起９Ａにそれぞれ係止する。
該容器１３の下部には切欠き１３Ａの複数個が設けられており、更に該容器１３内下部にはネットまたは防根シート１４が張設されており、その上からは土壌、木粉、植物粉、セラミック粉等の人口土壌からなる培地Ｍが充填され、更に該容器１３の切欠き１３Ａからは該容器１３内の該培地Ｍに通じるシート状吸水体１５が垂下される。
該容器１３は該切欠き１３Ａの位置と該嵌着筒８の切欠き８Ａの位置と合致するように該嵌着筒８内に嵌着される。
【００１５】
上記植栽ユニットＰＵは例えば屋上緑化に使用する場合には、図４に示すように縦横に複数個配列される。そして図５に示すように隣接する該植栽ユニットＰＵ相互の通水切欠き部４，４を合わせて断面コの字形の連結具２０を該通水切欠き部４，４の下辺に嵌着することによって該植栽ユニットＰＵ相互を連結し、周縁には見切り部材２１の複数個が配置される。該見切り部材２１は図１に示すように断面コの字形であり、外側の壁部には溢流口２２の複数個が横並びに配列され、内側の壁部の中央部には通水切欠き部２３が形成されており、両端には凹形隔壁２４，２４が設けられている。そして各植栽ユニットＰＵに接している見切り部材２１の通水切欠き部２３を該植栽ユニットＰＵの通水切欠き部４と合わせて該連結具２０を下辺に嵌着することによって該見切り部材２１を各植栽ユニットＰＵの側部に連結する。
【００１６】
上記植栽ユニットＰＵの下トレイ１に水（雨水）または肥料、栄養剤、殺菌剤等を溶解した養液Ｗを充填する。該水または養液Ｗは吸水体１５，２５によって吸水されて草本類Ｇを植栽する培地１１や木本類Ｔを植栽する培地Ｍに供給される。
図４に示すような複数個の植栽ユニットＰＵを縦横に配列した場合には、各植栽ユニットＰＵの下トレイ１に充填されている水または養液Ｗを通水切欠き部４を介して全体に流通させ、更に通水切欠き部４、２３を介して見切り部材２１に導入し、該見切り部材２１から図４矢印に示すように溢流口２２から溢流させる。該見切り部材２１から溢流した水または養液Ｗは図示しない備蓄タンクに備蓄し、植栽ユニットＰＵ配列へ循環させる。
【００１７】
本発明は上記実施例のみに限定されるものではなく、連通手段としては通水切欠き部４に代えてバルブやサイホン等が使用されてもよく、また臨出孔７を有底でスリットや多数の孔を有するバケット状にし、バケット内に吸水体２５を装着して、下トレイ１に充填された水または養液Ｗを該吸水体２５により草本類Ｇが植栽される培地１１に供給出来るようにしてもよい。
更に図６に示すように平面形状６角形の植栽ユニットＰＵ、平面形状円形の植栽ユニットＰＵ等が使用されてもよい。平面形状６角形の植栽ユニットＰＵを使用した場合には、図６に示すように種々の形状に配列することが出来る。
また植栽ユニットＰＵ間の連結は連結具に代えてボルト−ナットを用いてもよく、この場合には該植栽ユニットＰＵの隣接する周壁間に防水のためのパッキンを介在させてもよい。更に木本類植栽用容器１３の給水は吸水体によらず、該容器１３底部に導水孔を設け、該導水孔を下トレイ１内の水または養液Ｗに浸漬して、該水または養液Ｗを該容器１３内に導入してもよい。
【産業上の利用可能性】
【００１８】
本発明の植栽ユニットは草本類のみならず、葉のサイズの大きい木本類を植栽するので、冷却効果、保温効果が大きく、建物の空調に要するエネルギーが大巾に節減出来るから、産業上利用可能である。
【図面の簡単な説明】
【００１９】
図１〜図５は本発明の一実施例を説明する図である。
【図１】植栽ユニット分解斜視図
【図２】植栽ユニット中央側断面図
【図３】嵌着筒取付け構造説明斜視図
【図４】植栽ユニット配列説明平面図
【図５】連通構造説明部分斜視図
【図６】他の実施例の植栽ユニット配列説明平面図
【符号の説明】
【００２０】
１    下トレイ
５    上トレイ
８    嵌着筒
１１、Ｍ    培地
１３    木本類植栽用容器
２０    連結具
２１    見切り部材
Ｗ    水または養液
Ｔ    木本類
Ｇ    草本類
ＰＵ    植栽ユニット
【図１】
2008148560.tif 000003
【図２】
2008148560.tif 000004
【図３】
2008148560.tif 000005
【図４】
2008148560.tif 000006
【図５】
2008148560.tif 000007
【図６】
2008148560.tif 000008
【手続補正書】
【提出日】平成18年12月19日(2006.12.19)
【手続補正１】
【補正対象書類名】図面
【補正対象項目名】全図
【補正方法】変更
【補正の内容】
【図１】
2008148560.tif 000009
【図２】
2008148560.tif 000010
【図３】
2008148560.tif 000011
【図４】
2008148560.tif 000012
【図５】
2008148560.tif 000013
【図６】
2008148560.tif 000014
【手続補正２】
【補正対象書類名】特許請求の範囲
【補正対象項目名】請求項１
【補正方法】変更
【補正の内容】
【請求項１】
下トレイと、該下トレイの上側からスペーサーを介して嵌着される上トレイとからなり、
該上トレイの中央部には木本類植栽用容器を嵌着する嵌着孔が設けられ、
該嵌着孔の周囲には吸水体を臨出せしめる複数個の臨出孔が設けられ、
該上トレイの嵌着孔には木本類植栽用容器を嵌着し、該容器には木本類を植栽し、
該容器の周囲には草本類植栽用の培地を敷設し、該培地に草本類を植栽し、
該下トレイには該上トレイの臨出孔に臨出し、該培地に接触する複数個の吸水体を設置し、
該木本類植栽用容器の底部からは該下トレイ内に吸水体を垂下するかまたは該底部に導水孔を開設し、該下トレイには水または養液を充填し、
該水または養液を該吸水体によって吸い上げて該上トレイの木本類植栽用容器と草本類植栽用培地に供給するか、あるいは該容器には該導水孔から該水または養液を導入することによって供給することを特徴とする緑化用植栽ユニット。
【手続補正３】
【補正対象書類名】明細書
【補正対象項目名】００１２
【補正方法】変更
【補正の内容】
【００１２】
該下トレイ１の底面には円柱状の吸水体２５が複数個（４個）載置される。該吸水体２５は例えば多孔質セラミック、樹脂発泡体、あるいは該多孔質セラミックや樹脂発泡体をセメント、発泡性接着剤等で結着した結着体、セラミック粒子や樹脂粒子の焼結体等、またはポリエステル系の樹脂よりなる吸水シート等の吸水材料からなる。該吸水体２５載置位置は該上トレイ５の臨出孔７，７，７，７に対応する位置とする。
【手続補正４】
【補正対象書類名】明細書
【補正対象項目名】００１７
【補正方法】変更
【補正の内容】
【００１７】
本発明は上記実施例のみに限定されるものではなく、連通手段としては通水切欠き部４に代えてバルブやサイホン等が使用されてもよく、また臨出孔７を有底でスリットや多数の孔を有するバケット状にし、バケット内に吸水体２５を装着して、下トレイ１に充填された水または養液Ｗを該吸水体２５により草本類Ｇが植栽される培地１１に供給出来るようにしてもよい。
更に図６に示すように平面形状６角形の植栽ユニットＰＵ、平面形状円形の植栽ユニットＰＵ等が使用されてもよい。平面形状６角形の植栽ユニットＰＵを使用した場合には、図６に示すように種々の形状に配列することが出来る。
また植栽ユニットＰＵ間の連結は連結具に代えてボルト−ナットを用いてもよく、この場合には該植栽ユニットＰＵの隣接する周壁間に防水のためのパッキンを介在させてもよい。更に木本類植栽用容器１３の給水は吸水体によらず、該容器１３底部に導水孔を設け、該導水孔を下トレイ１内の水または養液Ｗに浸漬して、該水または養液Ｗを該容器１３内に導入してもよい。